(57)【要約】【課題】ゲートアームとフック本体との連係強度が高く、軽量化、コンパクト化に有利な安全帯のフックを提案する。【解決手段】作業者の腰部に装着する安全帯にロープを介してつながり、短管パイプあるいは親綱の如き係留部材に連係させて高所における安全性を確保するフックにおいて、フックを、Ｊ字状をなすフック本体３を備えるものとし、該フック本体３の基部３ｅに、枢軸Ｓを介してそれぞれ揺動可能に弾性支持され、先端部をフック本体３の先端に係合させてその内側に閉領域を形成するゲートアーム５と、このゲートアーム５の、フック本体３との連係姿勢を保持するロックアーム７を設ける。そしてフック本体３の先端部に係合爪部４を形成し、ゲートアーム５に、フック本体３の係合爪部４を挿通せしめてその縁部において該係合爪部４を抜け止めする開孔６を形成する。【選択図】図１
2010284279.tif 000002
【特許請求の範囲】
【請求項１】
作業者の腰部に装着する安全帯にロープを介してつながり、短管パイプあるいは親綱の如き係留部材に連係させて高所における安全性を確保するフックであって、
前記フックが、Ｊ字状をなすフック本体を備え、
該フック本体の基部に、枢軸を介してそれぞれ揺動可能に弾性支持され、先端部をフック本体の先端に係合させてその内側に閉領域を形成するゲートアームと、このゲートアームの、フック本体との連係姿勢を保持するロックアームを設け、
前記フック本体の先端部に係合爪部を形成し、
前記ゲートアームに、フック本体の係合爪部を挿通せしめてその縁部において該係合爪部を抜け止めする開孔を形成した、ことを特徴とする安全帯のフック。
【請求項２】
前記フック本体は、一対の短辺壁部と、この短辺壁部を相互につなぐ一対の長辺壁部とを有する中実の矩形状断面からなり、
前記ゲートアームの開孔は、フック本体の各壁部に対応する開孔縁部を有する、請求項１記載の安全帯のフック。
【請求項３】
前記ゲートアームは、フック本体の先端部に向けて伸延する長尺帯体と、この長尺帯体の両縁部より立ち上がり、該長尺帯体と協働してその内側に溝部を形成する一対の側板からなる、請求項１又は２記載の安全帯のフック。
【請求項４】
前記フック本体、ゲートアーム及びロックアームの少なくとも一つが、鍛造用のアルミ合金からなる、請求項１〜３の何れかに記載の安全帯のフック。
【請求項５】
前記フック本体は、短辺壁部及び長辺壁部の少なくとも一方に、アルマイト処理によって形成され、目視による確認を可能とする有色領域を備える、請求項１〜４の何れかに記載の安全帯のフック。
【発明の詳細な説明】
【技術分野】
【０００１】
本発明は、高所作業において安全性を確保するのに使用される安全帯のフックに関するものであり、該フックを構成するゲートアームとフック本体との連係強度を改善するとともに、それそのものの取り扱いを容易ならしめようとするものである。
【背景技術】
【０００２】
高所作業を伴う建設、建築現場等では、安全性を確保する観点から、安全帯の使用が必要不可欠になっている。安全帯は、普通、作業者の腰部に装着するバックル付きの胴ベルトと、この胴ベルトにつながるロープ（あるいはストラップ）と、このロープの先端に設けられたフックから構成されており、作業者自身が該フックを、作業場に設けられた短管パイプあるいは親綱等の如き係留部材に係止することによって安全な作業を実現している。
【０００３】
従来、この種のフックは、フック本体がＪ字状あるいはＵ字状をなしており、その基部には、弾性部材にて支持されたゲートアームが揺動可能に取り付けられていて、ゲートアームの先端を、フック本体の先端部分に連係させ、その内側に閉領域を形成することによって係留部材との連係を図るようにしている（例えば、特許文献１参照）。
【０００４】
ところで、ゲートアームの先端と、フック本体の先端部分とは、その端面同士が単に突き合わさった構造になっていることから、フックに過大な荷重が付加された場合に、それに伴う部材の変形により突き合わせ部位が開放されてしまうことも懸念され、フックが係留部材から外れてしまうおそれがあった。
【０００５】
また、係るフックは、救命具を構成する部材の一つとして認識されていることから、当然に強度の高い材料として鉄鋼材料が適用されているのが常識的であるところ、その結果として該フックは、かなりの重量になってしまい取り扱い容易であるとは言い難く、軽快な作業を実現するにも限界があるのが現状であった。
【先行技術文献】
【特許文献】
【０００６】
【特許文献１】実開平５−６２２７０号公報
【発明の概要】
【発明が解決しようとする課題】
【０００７】
本発明の課題は、フック本体と、ゲートアームとの連係強度を高めるとともに、それ自体の軽量化、コンパクト化により取り扱いを容易ならしめる新規な安全帯のフックを提案するところにある。
【課題を解決するための手段】
【０００８】
本発明は、作業者の腰部に装着される安全帯にロープを介してつながり、単管パイプあるいは親綱の如き係留部材に連係させて高所における安全性を確保するフックであって、
前記フックが、Ｊ字状をなすフック本体を備え、
該フック本体の基部に、枢軸を介してそれぞれ揺動可能に弾性支持され、先端部をフック本体の先端に係合させてその内側に閉領域を形成するゲートアームと、このゲートアームの、フック本体との連係姿勢を保持するロックアームを設け、
前記フック本体の先端部に係合爪部を形成し、
前記ゲートアームに、フック本体の係合爪部を挿通させてその縁部において該係合爪部を抜け止めする開孔を形成した、ことを特徴とする安全帯のフックである。
【０００９】
上記の構成になるフックにおいては、フック本体を、一対の短辺壁部と、この短辺壁部を相互につなぐ一対の長辺壁部とを組み合せた矩形状断面からなるもので構成し、ゲートアームの開孔には、フック本体の各辺に対応する開孔縁部を設けるのが望ましい。
【００１０】
また、ゲートアームは、フック本体の先端部に向けて伸延する長尺帯体と、この長尺帯体の両縁部より立ち上がり、該長尺帯体と協働してその内側に溝部を形成する一対の側板からなるものが適用できる。
【００１１】
また、フック本体、ゲートアーム及びロックアームの少なくとも一つを、鍛造用のアルミ合金にて構成するのが望ましい。
【００１２】
フック本体については、短辺壁部及び長辺壁部の少なくとも一方に、アルマイト処理によって形成され、目視による確認を可能とする有色領域を設けることができる。さらに、フック本体には、長辺壁部の一方若しくは両方に、凹部を形成するのが好ましい。
【発明の効果】
【００１３】
フック本体の先端部に鈎状の係合爪部を設け、この係合爪部をゲートアームに設けた開孔に挿通せしめて該開孔の縁部に係合爪部を引っ掛けて抜け止めするようにしたので、フック本体に変形を来たすような荷重が加えられた場合においてもフック本体とゲートアームとの係合部位が離反することがなく、フックを確実に係留部材に連係させておくことが可能となる。
【００１４】
フック本体を、短辺壁部と長辺壁部を組み合せた中実の矩形状断面とし、ゲートアームの開孔に、フック本体と同等の形状を有する開孔縁部を形成しておくことにより、フック本体の、ゲートアームに対する収まりが良くなり、横方向におけるガタツキを抑制するのに有利であり、また、フック本体の係合爪部がゲートアームの開孔縁部に連係する際の接触面積を大きくできる（線状あるいは面状に接触する。）ので荷重の集中が緩和される。
【００１５】
長尺帯体と側板でゲートアームを溝型に一体成形してその相互間に溝部を形成し、フックを開放すべく、該ゲートアームを揺動させてフック本体に向けて倒し込む際に、該溝部にフック本体の対向部位を入れ込むことにより、フックの開放間口をより大きくできるため、フックの係留部材に対する取り付け、取り外しが容易となり、使い勝手が改善される。
【００１６】
ゲートアームやロックアームのみならず、フック本体を鍛造用のアルミ合金にて構成することによりフック自体の軽量化が可能となり作業現場における取り扱いが容易となる。フックの構成材料としては、ジュラルミンやチタンなどの材料が使用できる。
【００１７】
とくに、フック本体をアルミ合金で構成したものにあっては、アルマイト処理を施すことにより、フック本体に目視による確認を可能とする有色領域を形成しておくことが可能となり、目印として貼着されるシールの如きは不要となり、コストの軽減、耐久性の向上を図ることができる。
【００１８】
フック本体の製造時に、長辺壁部（可能であるならば短辺壁部でもよい。）に凹部あるいは凸部を形成しておくことで、フック本体そのものの機械的強度を高めることができる。
【図面の簡単な説明】
【００１９】
【図１】本発明にしたがう安全帯の全体構成を示した図である。
【図２】本発明にしたがうフックの外観斜視図を示した図である。
【図３】図２に示したフックにつき、ロックを解除した状態を示した図である。
【図４】図１のＡ−Ａ断面を示した図である。
【図５】ゲートアームの外観斜視図であり、（ａ）はその背面側を示した図であり、（ｂ）はその正面側を示した図である。
【図６】開孔の要部を拡大して示した図である。
【図７】フック本体の係合爪部と開孔との連係状況を示した図である。
【図８】弾性部材の外観形状を示した図である。
【図９】ロックアームの外観斜視図であり、（ａ）はその背面側を示した図であり、（ｂ）はその正面側を示した図である。
【図１０】ゲートを開放した場合におけるゲートアームとフック本体との位置関係を示した図である。
【図１１】図１０のＢ−Ｂ断面を示した図である。
【発明を実施するための形態】
【００２０】
以下、図面を用いて本発明をより具体的に説明する。
図１は、本発明にしたがうフックを取り付けた安全帯の全体構成を示した図であり、図２は図１に示したフックのみをロック状態で示した外観斜視図であり、図３は図１に示したフックにつき、ロックを解除した状態を示した図である。
【００２１】
図における１は作業者の腰部に装着される安全帯（胴ベルト）である。この安全帯１の両端には、それぞれバックル１ａと、このバックル１ａに連係する先端止め１ｂが設けられている。
【００２２】
２は、一端が安全帯１のＤ環等につながるロープ（帯状のストラップでもよい。）でありその他端にはフックが取り付けられている。３はロープ２の他端につながるフック本体である。このフック本体３は、図１のＡ−Ａ断面を図４に示すように、一対の短辺壁部３ａ、３ｂと、これらをつなぐ一対の長辺壁部３ｃ、３ｄとを有する中実の矩形断面からなっており、その側面視における全体形状がＪ字状（あるいは釣り針状）をなすものであり、フック本体３の基部３ｅと、先端部３ｆの相互間の開放部分が係留部材を通すためのゲートＧを形成する（図３参照）。
【００２３】
また、４は、フック本体３の先端部３ｆに一体的に設けられた係合爪部である。この係合爪部４は内側において凹部４ａが形成されていて（図３参照）、側面形状が鈎状を呈している。
【００２４】
５はフック本体３の基部に枢軸Ｓを介して揺動可能に弾性支持されたゲートアームである。このゲートアーム５は、図５（ａ）（ｂ）に示す如く、溝型断面を有するものであって、フック本体３の先端部に向けて伸延する長尺帯体５ａと、この長尺帯体５ａの両縁部から立ち上がり、該長尺帯体５ａと協働してその内側に溝部Ｎを形成する一対の側板５ｂから構成されている。
【００２５】
６は、ゲートアーム５の先端部で長尺帯体５ａにおいて設けられた開孔である（図２、図５参照）。この開孔６は、図６にその要部を示すように、フック本体３の各壁部３ａ〜３ｄに対応する開孔縁部６ａ〜６ｄを有しており、図７に示す如く、フック本体３の係合爪部４を挿通せしめ、該開孔縁部６ａに凹部４ａを係合させることによって抜け止めされており、この状態で、その内側には閉領域Ｍ（図１参照）が形成される。
【００２６】
ゲートアーム５と、フック本体３の基部３ａとの間には、図８に示すような弾性部材ｈが配置され、ゲートアーム５には、該弾性部材ｈによってその先端部を、常にフック本体３の先端部に当接させる付勢力が作用している。そして、該ゲートアーム５にその外方からフック本体３の基部３ｅへ向かう力を付与することで開孔６と係合爪部４との係合が解除されるとともに、ゲートＧを開放してフックの係留部材に対する取り付け、取り外しを可能とする（図３参照）。
【００２７】
また、７は、フック本体３の基部３ｅ（ゲートアーム５を設置した場所と対向する部位）に枢軸Ｓ１を介して揺動可能に弾性支持されたロックアームである。このロックアーム７は図９（ａ）（ｂ）に示すような溝型断面をなす形状（Ｕ字状）を有するものであり、これにおいても図８に示すような弾性部材が配置されている。そして、このロックアーム７には、該弾性部材ｈにより枢軸Ｓ１を支点にしてフック本体３の基部から離反する向きの付勢力が作用しており、ロックアーム７の背面７ａにフック本体３の基部３ｅへ向かう力を付与することで揺動（スイング）する。
【００２８】
８は、ゲートアーム５の側板５ｂの後端部に設けられた舌片（フック本体３の長辺壁部を挟み込むように一対配置される。）である（図１〜３、図５参照）。この舌片８は、フック本体３の基部３ｅに向かう先端を有している。さらに、９は、ロックアーム７の枢軸Ｓ１の近傍域でフック本体３の基部３ｅに沿わせて一体的に設けられ、舌片８の先端に当接する先端を有する舌片である（フック本体３の長辺壁部を挟み込むように一対配置される。図１〜３、図９参照）。
【００２９】
上記の舌片８、舌片９は、ゲートアーム５及びロックアーム７に弾性部材による付勢力が作用している定常姿勢でもって、その先端が相互に当接しており、この状態でゲートアーム５にフック本体３の基部へ向かう力を付与しても枢軸Ｓを支点に揺動させることはできず、開孔６と係合爪部４の係合がそのまま維持（ロック状態）される。一方、ロックアーム７の背面７ａにフック本体３の基部３ａへ向かう力を付与することにより、該ロックアーム７は、図３に示すように、該基部３ｅに当接するまで倒れ込み、これに伴って舌片８、９の先端同士の当接が解除され、この状態で、ゲートアーム５にフック本体３の基部３ｅへ向かう力が加えられると該ゲートアーム５は、枢軸Ｓを支点に倒れ込んで開孔６と係合爪部４との係合が解かれる（ロック解除）こととなり、ゲートＧを通して係留部材Ｋへの着脱が可能となる。
【００３０】
さらに、１０は、フック本体３の長辺壁部３ｃ、３ｄのとくに、基部３ｅと先端部３ｆを除いた領域（湾曲領域）に設けた例で示した凹部である。この凹部１０を形成することにより、フック本体３自体の機械的強度を高められる。
【００３１】
本発明にしたがう安全帯のフックは、フック本体３の先端部３ｆに設けた鉤状をなす係合爪部４を、ゲートアーム５に設けられた開孔６に挿通させて該開孔６の縁部に連係させるようにしたので、係留部材に連係させた状態でフックに過大な荷重が付加され、たとえ、フック本体３が部分的に変形を来たすようなことがあったとしてもその相互間が離反してゲートＧが開放されることがないため、安全性がより一層高められる。
【００３２】
フック本体３を、短辺壁部３ａ、３ｂと長辺壁部３ｃ、３ｄを組み合せた中実の矩形状断面とし、ゲートアーム５の開孔６を、フック本体３と同等の形状を有する開孔縁部６ａ〜６ｄを形成しておくことにより、フック本体３の、ゲートアーム５に対する収まりがよくなり、横方向におけるガタツキを抑制するのに有利であり、また、フック本体３の係合爪部４がゲートアーム５の開孔縁部６ａ〜６ｄに連係する際の接触面積を大きくできる（線状に接触する。）ので荷重の集中が緩和される。
【００３３】
フックの主要構成部材をなすフック本体３は、他の構成部材と比較しても重量が大きいが、アルミ合金を用いることによりフックの軽量化が可能となる。他の構成部材であるゲートアーム５あるいはロックアーム７においてもアルミ合金を適用することも可能であり、ゲートアーム５、ロックアーム７においてアルミ合金を採用するか鉄鋼材料（スチール）を採用するかは適宜選択されるものであって、本発明においてはとくに限定されない。
【００３４】
アルミ合金としては、鍛造用アルミ合金として、例えば、記号Ａ６０６６が適用できる。その他の材料としては、ジュラルミンや超ジュラルミン（２０１７や２０２４合金）などに代表されるＡｌ−Ｃｕ系合金の２０００番台、３００３、３００４合金などのＡｌ−Ｍｎ系合金の３０００番台、４０４３、４０３２合金のように耐摩耗性に優れた熱処理型のＡｌ−Ｓｉ系合金の４０００番台、超ジュラルミンの７０７５や７００３などのＡｌ−Ｚｎ−Ｍｇ系合金の７０００番台などのアルミ合金が適用できる。
【００３５】
フック本体３をアルミ合金で構成した場合には、アルマイト処理が可能になることから、目視による確認を可能とする有色領域を形成できる利点がある。
【００３６】
というのは、安全帯のフックは、救命具としての使命を果たすため、フックを掛け忘れて高所作業を行うようなことが起きてはならず、この観点から通常は、作業者本人あるいは監視者が、フックが短管パイプや親綱等の係留部材に確実に連係しているかどうか、目視でもって確認できるように、フック本体３の部分には、蛍光等のシール（目印）が貼付されているが、この目印は、経時劣化により次第に粘着力が低下するなどしてフック本体から剥がれ、紛失してしまうこともあり、アルマイト処理によりシールの替りになる有色領域を形成しておくことで、従来のような不具合を解消することができるからである。
【００３７】
アルマイト処理は、例えば、ガンによる吹きつけ塗装に比較してコストの面で有利であり、また、かかる処理によって成形された有色領域は、フック本体３から剥がれ落ちるようなことがないので、美観を損なうようなこともない。
【００３８】
また、アルマイト処理は、処理表面を硬化させることもできるので、頻繁な取り付け、取り外しやフックを掛けたままで作業者が移動する場合における摩耗に対しても高い抵抗を示し、退色に関して高い仕様にしたい場合には、ダブルアルマイト処理を、また、表面をより硬化させ、とくに耐摩耗性に対する性能を高める仕様にしたい場合には、硬質アルマイト処理を施すのがよい。
【００３９】
高い機械的強度を保ちながら、軽量化を図ることを主目的とする場合には、アルミ合金の他に、マグネシウムやマグネシウム合金、チタン、チタン合金、ベリリウム合金などを採用することができる。
【００４０】
ゲートアーム５については、溝型断面を有するものを適用する場合について説明したが、このような形状を適用すると、ゲートＧを開放する際（ロックを解除する際）に、図１０、図１１に示すように、フック本体３の一部分を溝部Ｎ内に入り込むことになるため、その分だけゲートＧの開孔幅を拡げることができ、係留部材Ｋにフックを連係させる連係作業がしやすくなるとともに、フックのコンパクト化にも有利となる。
【産業上の利用可能性】
【００４１】
ゲートアームとフック本体との連係強度が高く、しかも、軽量でコンパクト化を図ることが可能な安全帯用のフックが提供できる。
【符号の説明】
【００４２】
１      安全帯
１ａ    バックル
１ｂ    先端止め
２      ロープ
３      フック本体
３ａ、３ｂ  短辺壁部
３ｃ、３ｄ  長辺壁部
３ｅ    基部
３ｆ    先端部
４      係合爪部
４ａ    凹部
５      ゲートアーム
５ａ    長尺帯体
５ｂ    側板
６      開孔
７      ロックアーム
７ａ    背面
８      舌片
９      舌片
１０    凹部
Ｎ      溝部
Ｇ      ゲート
Ｓ      枢軸
Ｓ１    枢軸
ｈ      弾性部材
【図１】
2010284279.tif 000003
【図２】
2010284279.tif 000004
【図３】
2010284279.tif 000005
【図４】
2010284279.tif 000006
【図５】
2010284279.tif 000007
【図６】
2010284279.tif 000008
【図７】
2010284279.tif 000009
【図８】
2010284279.tif 000010
【図９】
2010284279.tif 000011
【図１０】
2010284279.tif 000012
【図１１】
2010284279.tif 000013